(57)【要約】本発明は、化粧的毛髪処理方法において、ａ）機械的緊張を毛髪に適用すること、ｂ）該毛髪と接触している蒸気の形の溶媒の存在において、機械的緊張下の該毛髪をマイクロ波に暴露すること、ここで、マイクロ波への暴露の間、該毛髪の完全な乾燥はなく、該蒸気の形の溶媒は、処理される毛髪と接触してマイクロ波の放射の前に存在する化合物の蒸発により専ら発生される、を含む、前記方法に関する。【選択図】図３
2013527786.tif 000002
【特許請求の範囲】
【請求項１】
化粧的毛髪処理方法において、
ａ）機械的緊張を毛髪に適用すること、
ｂ）該毛髪と接触している蒸気の形の溶媒の存在において、機械的緊張下の該毛髪をマイクロ波に暴露すること、ここで、マイクロ波への暴露の間、該毛髪の完全な乾燥はなく、該蒸気の形の溶媒は、処理される毛髪と接触してマイクロ波の放射の前に存在する化合物の蒸発により専ら発生される、
を含む、前記方法。
【請求項２】
段階ａ）及びｂ）が逐次的又は同時に行われる、請求項１に記載の方法。
【請求項３】
さらに、ｃ）毛髪の耐久性のある形づけのための少なくとも１の組成物を処理される毛髪に施与することをさらに含む、請求項１又は２に記載の方法。
【請求項４】
該毛髪の耐久性のある形づけのための組成物が、１以上の還元剤又は１以上のアルカリ金属若しくはアルカリ土類金属の水酸化物を含むことを特徴とする、請求項３に記載の方法。
【請求項５】
該形づけ組成物の施与が、段階ａ）の前及び／又は段階ｂ）の後に行われる、請求項３又は４に記載の方法。
【請求項６】
処理される毛髪への、１以上の酸化剤を含む少なくとも１の固定化組成物の施与を含む、請求項３〜５のいずれか１項に記載の方法。
【請求項７】
該固定化組成物の施与が、段階ａ）の前及び／又は段階ｂ）の後並びに段階ｃ）の後に行われる、請求項１〜６のいずれか１項に記載の方法。
【請求項８】
段階ａ）が、該処理される毛髪へのねじり応力、引張応力又は圧縮応力の少なくとも１の適用により行われる、請求項１〜７のいずれか１項に記載の方法。
【請求項９】
段階ｂ）の持続時間が１秒〜３０分である、請求項１〜８のいずれか１項に記載の方法。
【請求項１０】
マイクロ波が５００ＭＨｚ〜１０ＧＨｚ、例えば９１５ＭＨｚ〜２．４５ＧＨｚ、の周波数を有する、請求項１〜９のいずれか１項に記載の方法。
【請求項１１】
マイクロ波が５００Ｗ未満、好ましくは２００Ｗ未満、の出力を有する、請求項１〜１０のいずれか１項に記載の方法。
【請求項１２】
処理される毛髪と接触してマイクロ波の放射の前に存在する化合物が、８以上、よりよくは１０以上、よりよくは１５以上である２０℃における誘電率を有する極性のプロトン性液状媒体を含む、特に該プロトン性液状媒体のみからなる、請求項１〜１１のいずれか１項に記載の方法。
【請求項１３】
蒸気の形の溶媒が、水及び／又はプロパノールを含む、好ましくは水又はプロパノールである、請求項１〜１２のいずれか１項に記載の方法。
【請求項１４】
段階ｂ）が、マイクロ波に対して不浸透性である囲い内で行われる、請求項１〜１３のいずれか１項に記載の方法。
【請求項１５】
段階ｂ）の間及び／又は後に、蒸気の形の溶媒を回収する段階をさらに含む、請求項１〜１４のいずれか１項に記載の方法。
【請求項１６】
段階ｂ）の一部又は全体の間に、毛髪が物質の少なくとも１の壁により画定された体積において存在し、該物質はマイクロ波がそれを貫通することを許しかつ処理される毛髪と接触してマイクロ波の放射の前に存在する化合物の蒸発を制限する、請求項１〜１５のいずれか１項に記載の方法。
【請求項１７】
該物質が、セロファンを含む、特にセロファンのみからなる、請求項１〜１６のいずれか１項に記載の方法。
【発明の詳細な説明】
【技術分野】
【０００１】
本発明は毛髪の処理方法に関する。
【背景技術】
【０００２】
毛髪の耐久性のある形づけのための化粧的処理は主に化学製品を使用して行われる。
【０００３】
２つの技術、どちらもケラチン（システイン）に存在する−Ｓ−Ｓ−ジスルフィド結合の切断に基づく、が毛髪の永久的な形づけを作り出すために一般的に使用される。
【０００４】
第一の技術は還元剤、例えばチオグリコール酸タイプの剤、を含む組成物を使用してジスルフィド結合を開くことを含む第一段階を含む。この第一の還元段階は、一般的に、８〜９のｐＨにおいて行われる。
【０００５】
次に、この第一の技術は、固定化剤と呼ばれる酸化組成物を毛髪に施与することによりジスルフィド結合を再形成することを含む第二段階を、好ましくは毛髪のリンス後に、含む。還元組成物の施与の前に、毛髪は適切なデバイス、例えばローラーにより緊張下に置かれ得るか又はまっすぐにされ得る。酸化段階は約３のｐＨにおいて行われ得、新しいジスルフィド架橋の形成を促進し、頭の毛髪が所望される形状に保たれることを許す。
【０００６】
第二の技術は水酸化物の種類に属する塩基を含む組成物を用いて、ランチオニン化する段階を含む。ランチオニン化段階は一般的に約１３の塩基性ｐＨにおいて行われる。ランチオニン化は、ジスルフィド架橋のモノスルフィド架橋への転化である。このタイプの処理は、天然に波状の毛髪の形づけのために主に使用される。
【０００７】
形状の耐久性に関して満足できる性能を得るために、先行技術において公知の処理において使用される組成物は、相対的に高濃度の活性な化学剤（還元剤又は水酸化物化合物、例えば）を含み得る。従って、例えば、ある組成物においては６％〜１１質量％の濃度のチオグリコール酸及び２％における水酸化ナトリウムが使用され得る。
【０００８】
チオグリコール酸を含む製品は不快な臭いを有し、それは施与の間、存在し得、さらに処理が行われた後もしばらくの間、毛髪上に残り得る。
【０００９】
さらに、上記の処理は、毛髪の繊維の固有の性質への変化により引き起こされる、毛髪に不可逆なダメージをもたらし得る。
【００１０】
これらの処理は、相対的に高濃度な活性な化学剤のために、頭皮の刺激も起こし得る。
【００１１】
一連の変化を活性化するために、処理の間、熱を供給することもさらに公知である。これらの技術は、実際、美容的性能の改善を許し得るが、常に高濃度の活性な化学剤を含み、従って、上記の処理と同じ欠点を示す。
【００１２】
国際公開第２００２０５１２８１号パンフレット，米国特許出願公開第２００６００４２６４９号明細書，米国特許出願公開第２００４０２５０８３０号明細書、国際公開第２００２１００２１０号パンフレット，米国特許出願公開第２０００６８０４３２号明細書，米国特許第６０７９４２２号明細書，米国特許第５９８８１８２号明細書，米国特許第５８１９７６３号明細書，米国特許第５７７３８０２号明細書，米国特許第５６７６８７１号明細書，特開平０９０７５１２５号公報，特開平０９０５１８１３号公報，オーストラリア特許出願公開第９６６４４６７号明細書，米国特許第５４９４５９８号明細書，欧州特許出願公開第１９７８２４号明細書，米国特許第４７１０６０９号明細書，米国特許第４７４３７２６号明細書，米国特許第４９５２３６０号明細書，米国特許第５０３０８２０号明細書及び米国特許第５２８６９４９号明細書は、物品、例えば家庭用マイクロ波で加熱され得、乾燥及びヘアセットのために湿った毛髪上で使用され得るローラーを記載している。
【００１３】
米国特許第３９５８３４０号明細書は、マイクロ波放射により加熱された空気を用いてヘアピースを速く乾燥する方法を記載している。
【００１４】
米国特許出願公開第２００７００５６９６０号明細書は、マイクロ波を使用して湿った毛髪の房がカールされ、まっすぐにされ、乾燥されることを許す形づけのための道具を記載している。
【００１５】
ドイツ国特許出願公開第３１４８５３８号明細書は、壁により保護され、その周りに巻きつけられた一房の毛髪を有する円筒状の道具を記載している。該房は、円筒及び壁の間の空間に適用されるマイクロ波を使用して乾燥及びセットされる。
【００１６】
フランス国特許出願公開第２１７８０４９号明細書は、種々の物質に電磁エネルギーを送達するためのデバイスを開示している。
【００１７】
さらに、フランス国特許出願公開第２１１４５４０号明細書及びフランス国特許出願公開第２１１８９４５号明細書は、電磁的放射を使用して毛髪を加熱及び乾燥するための方法を開示している。
【発明の概要】
【発明が解決しようとする課題】
【００１８】
毛髪の永久的な形づけのための、新規であり、より効率的であり、かつより低位に攻撃的である方法を提供する必要性が存在する。
【００１９】
強化された耐久性のある形づけの性能が得られることを許しながら、毛髪及び頭皮への化学製品の影響を最小限にする方法を有することに特に関心がある。
【００２０】
毛髪の耐久性のある形づけのための新規なデバイスを有する必要もまたある。
【００２１】
本発明は、上記の必要性の一部又は全部を満たすことを目的としている。
【課題を解決するための手段】
【００２２】
第一の特徴に従うと、本発明は
ａ）機械的緊張を毛髪に適用する段階、
ｂ）該毛髪との接触している蒸気の形の溶媒の存在において、機械的緊張下の該毛髪をマイクロ波に暴露する段階、ここで、マイクロ波への暴露の間じゅう、該毛髪の完全な乾燥はない、
からなる少なくとも１の段階を含む化粧的毛髪処理方法を提供する。
【００２３】
段階ｂ）において完全に乾燥した場合、形づけは得られない。
【００２４】
段階ａ）において、マイクロ波放射は既に存在していても又はいなくてもよく、溶媒は蒸気の形であってもよい。言い換えると、段階ａ）及びｂ）は逐次的又は同時であってもよい。
【００２５】
「毛髪に適用される機械的緊張」により、毛髪の長さの少なくとも一部に適用される機械的緊張が意味される。
【００２６】
本発明は、頭皮及び毛髪により低位に攻撃的である耐久性のある形づけ処理を許すことができる。
【００２７】
さらに、マイクロ波及び蒸気の形の溶媒の存在における機械的緊張の毛髪への適用は、還元剤又はアルカリ金属又はアルカリ土類金属の水酸化物の不存在においてさえ、耐久性がありかつ強化された、毛髪の形づけが得られることを許すことができる。
【００２８】
「マイクロ波」により、５００ＭＨｚ〜３００ＧＨｚの周波数を有する電磁放射が意味される。
【００２９】
段階ｂ）において使用されたマイクロ波の周波数は、好ましくは５００ＭＨｚ〜１０ＧＨｚ、例えば９１５ＭＨｚ〜２．４５ＧＨｚである。
【００３０】
段階ｂ）において使用されたマイクロ波の出力は５００Ｗ以下、好ましくは２００Ｗ以下、であり得る。出力は１０Ｗ以上、２０Ｗ以上、３０Ｗ以上、７５Ｗ以上、又は１００Ｗ以上であり得る。段階ｂ）において使用されるマイクロ波の出力は、例えば１００〜２５０Ｗ，又は１００〜２００Ｗ、又は１００〜１７５Ｗである。
【００３１】
マイクロ波はマイクロ波発生器、例えば固体状態の発生器、例えばマグネトロンであり得る。
【００３２】
表現「毛髪の完全な乾燥はない」は、段階ｂ）の後、毛髪は触ると湿っていることを意味する。従って、毛髪は、それと接触して段階ｂ）の前に存在する液状化合物の少なくとも１％、特に少なくとも２％、又は５％さえを保持し、これらの液状化合物は、処理前の毛髪の自然な湿気を増加させる。
【００３３】
機械的緊張の適用は、機械的緊張を適用するためのデバイスにより実行され得、該デバイスは毛髪上に、例えば湾曲、引張、ねじれ、及び／又は圧縮を誘発するために構成されていることができる。機械的緊張を適用するためのデバイスは１以上の房の毛髪に機械的応力を同時に加え得る。
【００３４】
機械的緊張デバイスは、例えばローラーであり得る。
【００３５】
蒸気の形の溶媒は、処理される毛髪と接触してマイクロ波の放射の前に存在する化合物の蒸発により専ら、発生される。
【００３６】
処理される毛髪は、マイクロ波の作用の持続期間を通して、決して完全に乾燥してはならない。言い換えると、毛髪は該暴露の間、常に溶媒で浸されていなければならない。
【００３７】
浸漬を促進するために、溶媒は予めアトマイズされていてもよい。
【００３８】
本発明に従う方法の段階ｂ）は、任意的に段階ａ）におけるように、囲いの中で行われ得る。該囲いはマイクロ波スクリーンを形成し得る。
【００３９】
本発明に従う方法の間、特に段階ｂ）の間、囲いは処理されるべき毛髪及び機械的緊張を適用するためのデバイスを含む。
【００４０】
「毛髪を含む」により、毛髪の長さの一部又は全部に亘って毛髪を含むことが意味される。
【００４１】
囲いは、毛髪を、ある長さ、例えば５ｃｍ以上の長さに亘って覆い得る。従って、少なくとも５ｃｍの長さの毛髪が囲いの中で処理され得る。
【００４２】
囲いは、マイクロ波の放射の間、処理される毛髪に対して固定され得るか、又は例えば、処理される毛髪に沿って移動されながら、毛髪に対して動かされ得る。
【００４３】
マイクロ波は適切であればアンテナから放射され得る。
【００４４】
上で示されたように、囲いは、例えば溶媒リサイクル施設により、蒸気の形の溶媒を外部媒体へ放出しない、又はその少量しか放出しないように構成され得る。リサイクルは、溶媒の濃縮の後に、例えば蒸気の形又は液体の形で行われる。
【００４５】
囲いは、蒸気の形の溶媒を吸収するように構成されている物質を含み得る、囲いは、その上に溶媒が濃縮する冷たい壁及び／又は蒸気の形の溶媒のために抽出ダクトを含み得る。
【００４６】
従って、本発明に従う方法は、段階ｂ）の間及び／又は段階ｂ）の後に、例えば蒸気の形及び／又は液体の形及び／又は物質に吸着された溶媒の回収の段階を含み得る。
【００４７】
囲いは有利には、マイクロ波に対して実質的に不浸透性である。言い換えると、囲いは、放射されたマイクロ波を含むように構成され得る。段階ｂ）は従ってマイクロ波に対して不浸透性である囲いの中で行われる。
【００４８】
囲いは、例えば弾性的に変形可能であり、段階ｂ）において使用されるマイクロ波が遮蔽されることを許すが、毛髪がもし必要であれば囲いから出ることを許す、電気的に伝導性である物質の少なくとも１のジョイントを含み得る。ジョイントは例えば電気的に伝導性である粒子で満たされた泡、電気的に伝導性である剛毛から形成されているブラシ、又は金属の歯を含む櫛を含み得る。
【００４９】
囲いがフードの形であるとき、囲いは処理される毛髪が通過できる電磁遮蔽を含み得る。そのような遮蔽は、使用者の毛髪が処理される一方で、放射されるマイクロ波から使用者の頭を保護することを許す。
【００５０】
電磁遮蔽は例えばグリッド又はワイヤメッシュにより形成され得る。
【００５１】
本方法を実施するために使用できる処理デバイスは、例えば使用者に、囲いの外へのマイクロ波の漏れ及び／又は囲いの中の過度の温度を警告する目的のために音及び／又は光警報系を含み得る。処理デバイスは、囲いが閉じられていないとき及び／又は異常動作、例えば過度の温度、例えば及び／又は溶媒の不存在の場合に、マイクロ波の放出を防ぐ安全系を有利に含む。
【００５２】
処理デバイスは毛髪にダメージを与えそうな処理の持続期間が達成されないようにするためにマイクロ波が放射される持続期間を制御するように構成されていてもよい。
【００５３】
本発明に従う方法は、段階ｂ）の前に、囲いの閉鎖を検出する段階を含み得る。例えば、囲いが閉じられたとき、接触器が活性化される。
【００５４】
マイクロ波の透過は囲いの閉鎖の検出への条件とされ得る。
【００５５】
本発明の方法は、処理されるべき毛髪が置かれたことを検出する段階を、段階ｂ）の前にさらに含み得る。この検出段階は、例えば光学センサー及び／又は機械的センサーにより行われ得る。
【００５６】
本発明に従う方法は、段階ｂ）の間に、例えば処理される毛髪が付される温度を測定する段階を含み得る。温度測定のこの段階は、該毛髪と接しない温度計により行われ得る。
【００５７】
囲いが例えばトングスにより画定されているとき、該囲いは、機械的緊張を適用するためのデバイスの一部又は全部を含み得る。
【００５８】
機械的緊張を適用するためのデバイスは、１以上のローラー又は、例えば電気的に絶縁しておりかつマイクロ波の暴露と両立する他の曲げるためのデバイス、例えば複数の顎及び／又は１以上の櫛、を含む。
【００５９】
処理デバイスは、例えば毛髪をカールさせる又は反対に毛髪をまっすぐに伸ばすように作用する応力を適用するための種々の複数デバイスの使用を許すように構成されていてもよい。該デバイスは使用者により交換可能であり得る。
【００６０】
処理デバイスは、適切であれば、例えば電気的接触又は１以上の電気的遮断により、使用中に応力適用デバイスを自動的に認識するように装備されていてもよい。
【００６１】
機械的緊張を適用するためのデバイスは、マイクロ波暴露の間に処理される毛髪を平らに置くように構成されていてもよい。
【００６２】
考慮下の実施態様が何であれ、段階ａ）において処理される毛髪は１の又は複数の機械的応力に付され得る。機械的応力は、曲げ応力、復元応力、圧縮応力、ねじれ応力及び／又は引張応力から選択され得る。適用される応力は毛髪をカールさせること、又は逆に毛髪をまっすぐに伸ばすことを目的とされ得る。適用される応力は、毛髪の長さの一部に亘って毛髪をカールさせること及びその長さの別の部分に亘ってまっすぐさせることを目的とされ得る。
【００６３】
処理デバイスは、単一の手で持てる大きさの物品内において、マイクロ波発生器及び機械的緊張を適用するためのデバイスを含み得る。「手で持てる大きさの物品」により、毛髪の処理の間、使用者により片手で操作される物品が意味される。
【００６４】
処理デバイスがトングスを含むとき、マイクロ波は該トングスの分岐の１つのみから又はトングスの分岐の全てにより放射され得る。
【００６５】
マイクロ波を発生器から囲いまで送るために使用されることのできる伝送手段は、導波管(wave guide)、例えば１０ｍ未満、好ましくは５ｍ未満の長さ及び５ｃｍ、好ましくは２ｃｍ未満の直径を有するフレキシブル同軸ケーブル及び電磁放射を放射する少なくとも１のアンテナ及び電磁放射を受ける少なくとも１のアンテナを含むアセンブリーを包含する。
【００６６】
マイクロ波発生器及び／又は囲いは、段階ｂ）の間に処理される毛髪を、該囲いにおけるその空間分布において変動可能である、例えば回転している、マイクロ波放射に付すように構成されていてもよい。回転しているマイクロ波放射は処理される毛髪がより均一に該放射に暴露されることを許し、即ち放射への局所的な過暴露のリスクを低減させる。
【００６７】
溶媒は例えば２００℃未満の沸点を有する液体である。
【００６８】
液体は、好ましくは、特に８以上、よりよくは１０以上、よりよくは１５以上である２０℃における誘電率を有する極性のプロトン性液状媒体を含み得、特に該媒体のみからなり得る。
【００６９】
この溶媒は好ましくは、水及び／又はプロパノールを含む。より好ましくは、この溶媒は水又はプロパノールである。
【００７０】
一つの実施態様において、蒸気の形の溶媒は液体状態における溶媒のマイクロ波による直接的な加熱により発生され得る。
【００７１】
蒸気の形の溶媒は、毛髪の近傍及び／又は毛髪との接触において段階ｂ）において８０〜２００℃、好ましくは１００〜１５０℃、例えば１２０〜１５０℃の温度を有し得る。
【００７２】
段階ｂ）において処理される毛髪が付される圧力は１０５〜１０６Ｐａ（１〜１０ｂａｒ）、好ましくは１０５〜５×１０５Ｐａ（１〜５ｂａｒ）である。
【００７３】
毛髪は、段階ｂ）の一部又は全体の間に、物質の少なくとも１の壁により画定された体積において存在し、該物質はマイクロ波がそれを貫通することを許しかつ処理される毛髪と接触してマイクロ波の放射の前に存在する化合物の蒸発を制限する。
【００７４】
そのような物質の使用は本発明に従う処理の間の毛髪の乾燥を有利に低減し得る。
【００７５】
該物質は、特にセロファンを含み特にセロファンのみからなり、及び／又は低い孔性を有し得る。変形において、該物質は多孔性であり得、特にメッシュであってもよい。
【００７６】
該物質は、マイクロ波への暴露の後、その物理的な構造を保ち得る。特に該物質はマイクロ波への暴露後に溶融しなくてもよい。
【００７７】
本発明に従う方法は、該毛髪に少なくとも１の耐久性のある形づけ組成物を施与することを含む少なくとも１の段階ｃ）をさらに含み得る。
【００７８】
「耐久性のある形づけ組成物」により、毛髪に施与されたとき、ケラチンに存在するジスルフィド結合が開かれることを許す組成物が意味される。
【００７９】
この段階は、段階ａ）の前及び／又は段階ｂ）の後に行われ得る。
【００８０】
段階ａ）及びｂ）は、形づけ組成物の作用を強化し得、そして例えば活性剤の量が減らされること、又は同じ量についてその効能が強化されることを許す。
【００８１】
本発明に従う方法は、毛髪に少なくとも１の固定化組成物を施与することを含む少なくとも１の段階ｄ）を、段階ｃ）の後にさらに含み得る。
【００８２】
「固定化組成物」により、毛髪に施与されたとき、ケラチン内に存在するジスルフィド結合が再構築され、従って、所望される形状のヘアスタイルの保持に寄与することを許す組成物が意味される。該固定化組成物は、形づけ組成物の作用により得られる形状の保持を強化することをもまた可能にし得る。
【００８３】
この段階ｄ）は、段階ａ）の前及び／又は段階ｂ）の後であるが、段階ｃ）の後に行われ得る。
【００８４】
段階ｂ）の持続期間は、所望される形づけ性能、例えば毛髪の性質、に依存して変化し得る。
【００８５】
考慮下の例示的な実施態様にかかわらず、段階ｂ）の持続期間は１秒〜３０分、好ましくは１秒〜１０分であり得る。
【００８６】
考慮下の例示的な実施態様にかかわらず、段階ｂ）は例えば０〜１０回、好ましくは０〜５回、繰り返され得る。
【００８７】
毛髪が囲いの中にあるとき、該形づけ組成物又は固定化組成物は例えば適切な施与系により施与され得る。該施与系は、例えば、該囲みの中又はその外側に、例えば囲いから出る又は囲いに入る毛髪の通路、に配置されたパッド、櫛、１以上の分配穴、又はアトマイジングノズルを含む。
【００８８】
該形づけ組成物及び／又は固定化組成物は適切な場合は、マイクロ波放射に付され得る。
【００８９】
処理デバイスは、毛髪の特徴、例えば色、機械的強度、表面の状態及び／又は湿り気、に敏感であるセンサーを含み得、処理デバイスは、このようにして検出された特徴に依存する、処理の少なくとも１のパラメーター、例えばマイクロ波のエネルギー、溶媒の温度、処理の持続期間及び／又は加えられた機械的応力、を制御し得る。
【００９０】
その別の特徴に従うと、本発明は、上記の方法を実施するための毛髪処理デバイスにおいて、
毛髪に機械的緊張を適用するためのデバイス：
マイクロ波発生器
を含む上記デバイスに関する。
【００９１】
上の方法に関して特定された特徴の全てが該処理デバイスに当てはまる。
【００９２】
従って、処理デバイスは、例えばマイクロ波スクリーンを構成する処理囲いを定義し得る。
【００９３】
図面の説明
本発明は、本発明の実施のための非制限的な実施例の下記の詳細な説明を読むこと及び添付の図面の精査からよりよく理解され得る。
【図面の簡単な説明】
【００９４】
【図１】本発明に従う処理デバイスの例示的な実施態様を模式的にかつ部分的に示す。
【図２】本発明に従う処理デバイスの例示的な実施態様を模式的にかつ部分的に示す。
【図３】本発明に従う処理デバイスの例示的な実施態様を模式的にかつ部分的に示す。
【図４】本発明に従う処理デバイスの例示的な実施態様を模式的にかつ部分的に示す。
【図５】本発明に従う処理デバイスの例示的な実施態様を模式的にかつ部分的に示す。
【図６】種々の化粧的処理を受けた毛髪の複数の房を示す。
【図７】種々の化粧的処理を受けた毛髪の複数の房を示す。
【図８】種々の化粧的処理を受けた毛髪の複数の房を示す。
【図９】種々の化粧的処理を受けた毛髪の複数の房を示す。
【図１０】本発明に従う例示的な実施態様を模式的かつ部分的に示す。
【発明を実施するための形態】
【００９５】
図１は、処理されるべき毛髪が受け入れられる囲いを含み、フレックス２によりマイクロ波発生器を含むベースユニット１に接続されているハンドピース３を含む処理デバイス１００を示す。
【００９６】
フレックス２は導波管を含み得る。
【００９７】
図２は図１の詳細を示す。
【００９８】
導波管２によりハンドピース３の中において送られたマイクロ波７０は、処理されるべき毛髪の上に存在する液状溶媒の加熱を許し、それが蒸気の形の溶媒の状態に変形されることを許す。この例示的な実施態様において、機械的緊張を適用するためのデバイスおよび一房の毛髪（図示されていない）がハンドピース３の中に存在し、該毛髪はマイクロ波と蒸気の形の溶媒８０に暴露される。温度検出器１５０が、処理され毛髪の房の温度を測定するために存在し得、制御系、例えばマイクロプロセッサ制御系、は、温度が予め定められた閾値より上である温度が検出された場合に、マイクロ波の放射が妨げられる又は修正されることを許し得る。
【００９９】
図３は、処理の囲いがハンドピース３の全部又は一部を形成するトングスを閉じることにより形成される例示的な実施態様を示す。該トングスは、開いたとき、処理のための１以上の房の毛髪が複数の分岐の間に導入されることを許す。各分岐は例えば囲いの半分を画定する。
【０１００】
マイクロ波は、トングスの一つの分岐又は両方の分岐により放射され得る。
【０１０１】
センサー（図示されていない）は、処理デバイスに、トングスが閉じられたことを知らせ得、マイクロ波の伝達がこの閉じることの検出に条件づけられ得る。
【０１０２】
毛髪に適用される機械的緊張は、毛髪をまっすぐにするための引張力であり得る。
【０１０３】
上の実施例の全てにおいて、マイクロ波を送る手段は、図４に示されているように、放射アンテナ１０及び受信アンテナ１５を含み得る。
【０１０４】
図５は、ハンドピース３の処理囲いの中に存在する一房の毛髪Ｍを示す。囲いはマイクロ波に対して不浸透性であり、この目的のために、毛髪が囲いを出る点においてマイクロ波放射を反射する、電気的に伝導性である泡２００のジョイントを例えば含む。
【０１０５】
図示されていない一つの変形において、マイクロ波発生器１は、例えばチャンバー及び／又は機械的緊張を適用するためのデバイス内において存在し得る。
【０１０６】
図１０は、一房の毛髪Ｍが物質の壁３００により画定された体積の中に存在し、該物質は、マイクロ波７０がそれを通過することを許し、発生された蒸気８０を含むところの本発明に従う実施態様を示す。
【０１０７】
蒸気８０を含むことは、毛髪Ｍが処理の間に湿らされることを有利に許す。
【０１０８】
該物物質は、セロファンを含み、特にセロファンのみからなり、及び／又は低い孔性を有し得る。変形において、該物質は多孔性であり、特にメッシュである。
【０１０９】
形づけ組成物
還元組成物
還元剤
形づけ組成物は、１以上の還元剤を含む還元性組成物であり得る。
【０１１０】
還元剤は、例えば、
−式（１）のチオグリコール酸：ＨＳ−ＣＨ２−ＣＯＯＨ（１），
−式（２）のチオ乳酸
2013527786.tif 000003
−式（３）の３−メルカプトプロピオン酸：ＨＳ−ＣＨ２−ＣＨ２−ＣＯＯＨ（３），
−式（４）のシステアミン：ＨＳ−ＣＨ２−ＣＨ２−ＮＨ２（４），
−式（５）のシステイン：ＨＳ−ＣＨ２−ＣＨ（ＮＨ２）−ＣＯ２Ｈ
並びにそれらの塩及びそれらのエステル、
−ホスフィン、サルファイト、及びボロハイドライド
から選択され得る。
【０１１１】
上記の生成物（１）〜（４）の化粧的に許容可能な塩は、例えばアンモニウム塩、一級、二級、又は三級アミン塩及びアルカリ土類金属塩を包含する。一級、二級、又は三級アミン塩は、それぞれモノエタノールアミン、ジイソプロパノールアミン、及びトリエタノールアミンを包含する。
【０１１２】
上記の化合物（１）〜（４）のエステルは、モノチオグリコール酸グリセロールエステル、モノチオグリコール酸エチレングリコールエステル、フランス国特許出願公開第２６７９４４８号明細書記載のチオグリコール酸２−ヒドロキシプロピルエステルとチオグリコール酸２−ヒドロキシ−１−メチルエチルエステルとの共沸混合物及びモノチオ乳酸グリセロールエステル、モノチオ乳酸エチレングリコールエステル、３−メルカプトプロピオン酸グリセロールエステル、及び３−メルカプトプロピオン酸エチレングリコールエステルを包含する。
【０１１３】
還元剤は、還元組成物の総重量に対して、例えば、０．０１％〜２０％、好ましくは０．１〜１０％、より好ましくは０．３〜３重量％の量で存在し得る。
【０１１４】
還元組成物に存在する添加剤
【０１１５】
還元組成物は１以上の添加剤をさらに含み得る。
【０１１６】
添加剤は還元組成物内で、単独で又は混合物で使用され得る。
【０１１７】
還元組成物は、少なくとも１の界面活性剤、例えばノニオン性、アニオン性、カチオン性、又は両性界面活性剤を含み得、それらの中でアルキルサルフェート、アルキルベンゼンサルフェート、アルキルエーテルサルフェート、アルキルスルホネート、４級アンモニウム塩、アルキルベタイン、エトキシレート化アルキルフェノール、脂肪酸アルカノールアミド、エトキシレート化脂肪酸エステル、及びヒドロキシプロピルエーテル及びアルキルポリグリコシドタイプの他のノニオン性界面活性剤が挙げられ得る。
【０１１８】
界面活性剤は還元組成物の総重量に対して、例えば３０重量％未満、好ましくは０．５％〜１０％の量で存在し得る。
【０１１９】
毛髪の化粧的性質を強化する目的、又は毛髪へのダメージを減少させる又は防止する目的で、該還元組成物は、さらに少なくとも１のカチオン性、アニオン性、ノニオン性、又は両性のトリートメント剤を含み得る。
【０１２０】
特に好ましいトリートメント剤は、特にフランス国特許出願公開第２５９８６１３号明細書及びフランス国特許出願公開第２４７０５９６号明細書に記載されたものを包含する。トリートメント剤として、揮発性又は非揮発性の直鎖又は環状シリコーン及びそれらの混合物、ポリジメチルシロキサン、４級化されたポリオルガノシロキサン、例えばフランス国特許出願公開第２５３５７３０号明細書に記載されたもの、アルコキシカルボニルアルキル基で変性されたアミノアルキル基を有するポリオルガノシロキサン、例えば米国特許第４７４９７３２号明細書に記載されたもの、ポリオルガノシロキサン例えばジメチコーンコポリオールタイプのポリジメチルシロキサン−ポリオキシアルキルコポリマー、ステアロキシ（ステアロキシジメチコーン）末端基を有するポリジメチルシロキサン、ポリジメチルシロキサン−ジアルキルアンモニウムアセテートコポリマー又はポリジメチルシロキサン−ポリアルキルベタインコポリマー、これらのコポリマーは英国特許出願公開第２１９７３５２号明細書に記載されている、メルカプト又はメルカプトアルキル基で有機的に変性されたポリシロキサン、例えばフランス国特許出願公開第１５３０３６９号明細書及び欧州特許出願公開第２９５７８０号明細書に記載されたもの、及びシラン例えばステアロキシトリメチルシランを使用することもまた可能である。
【０１２１】
還元組成物は、他のトリートメント剤、例えばカチオン性ポリマー、例えばフランス国特許出願公開第２４７２３８２号明細書及びフランス国特許出願公開第２４９５９３１号明細書の組成物において使用されているもの、又はイオネンタイプのカチオン性ポリマー、例えばルクセンブルグ特許出願公開第８３７０３号明細書の組成物において使用されているものをさらに含み得る。該組成物は、基本的なアミノ酸、例えばリシン若しくはアルギニン、又は酸例えばグルタミン酸若しくはアスパラギン酸、ペプチド及びそれらの誘導体、タンパク質加水分解物、ワックス、膨潤剤、及び浸透剤、又は還元剤の効率を強化する剤、例えばＳ１Ｏ２／ＰＤＭＳ（ポリジメチルシロキサン）混合物、ジメチルイソソルビトール、尿素及びその誘導体、ピロリドン、Ｎ−アルキルピロリドン、溶媒例えば、アルキレングリコール又はジアルキレングリコールアルキルエーテル例えば、プロピレングリコールモノメチルエーテル、ジプロピレングリコールモノメチルエーテル、エチレングリコールモノエチルエーテル及びジエチレングリコールモノエチルエーテル、Ｃ３〜Ｃ６アルカンジオール例えば、１，２−プロパンジオール及び１，２−ブタンジオール、２−イミダゾリジノン及び他の化合物例えば、脂肪族アルコール、ラノリン誘導体、活性成分例えば、パントテン酸、毛髪の損失を防止する剤、抗ふけ剤、増粘剤、懸濁剤、金属イオン封止剤、乳白剤、染料、日焼け止め剤及び香料もまた、並びに保存剤を含み得る。
【０１２２】
還元組成物のｐＨは好ましくは６〜１１、より好ましくは７〜１０である。
【０１２３】
還元組成物はｐＨを調節するための少なくとも１のアルカリ化剤を含み得る。
【０１２４】
好ましくは本発明に従う組成物において使用されるアルカリ化剤は、それがその中に存在する組成物のｐＨが上昇されることを許す剤である。
【０１２５】
アルカリ化剤はブレンシュテッド、ローリー又はルイス塩基であり得る。
【０１２６】
アルカリ化剤は有機性又は無機性であり得る。
【０１２７】
アルカリ化剤は、例えば、
ａ）水性アンモニア、
ｂ）アルカノールアミン例えばモノ−、ジ−及びトリエタノールアミン並びにそれらの誘導体、
ｃ）エトキシレート化及び／又はプロポキシレート化されたエチレンジアミン、
ｄ）アルカリ金属シリケート例えば、メタケイ酸ナトリウム、
ｅ）アミノ酸、好ましくは塩基性アミノ酸、例えばアルギニン、リジン、オルニチン、シトルリン、及びヒスチジン、
ｆ）（重）炭酸塩、特に１級、２級、又は３級アミン（アンモニウム）、アルカリ金属又はアルカリ土類金属（重）炭酸塩、及び
ｇ）下記の式（ＩＩ）の化合物：
2013527786.tif 000004
ここで、Ｗは任意的にヒドロキシル基により置換されていてもよいプロピレン残基、又はＣ１〜Ｃ４アルキル基である。基Ｒａ、Ｒｂ、Ｒｃ及びＲｄは同一又は異なり、水素原子又はＣ１〜Ｃ４アルキル又はＣ１〜Ｃ４ヒドロキシアルキル基である。
【０１２８】
好ましいアルカリ化剤は、水性アンモニア及びモノエタノールアミンであり得る。
【０１２９】
例えば、上記のようなアルカリ化剤は、還元組成物の重量に対して０．００１〜１０重量％、例えば０．００５〜８重量％の量で存在し得る。この濃度は、特に、還元組成物の所望されるｐＨの関数であってもよい。
【０１３０】
還元組成物の使用の条件
【０１３１】
一つの好ましい例示的な実施態様において、還元組成物が段階ａ）の前及び／又は段階ｂ）の後に使用されるとき、還元組成物は放置されて例えば１〜５０分、好ましくは１〜３０分の持続期間の間、作用し得る。
【０１３２】
還元組成物が段階ａ）の前及び／又は段階ｂ）の後に使用されるとき、形づけ段階は２０〜４０℃、好ましくは２５〜３５℃の温度において行われ得る。
【０１３３】
さらに、還元組成物は好ましくは湿っておりかつ清潔な毛髪の繊維に施与され得る。
【０１３４】
水酸化物化合物を含む組成物
形づけ組成物は、１以上の水酸化物化合物を含み得る。
水酸化物化合物
「水酸化物化合物」により、水酸化物イオンを放出できる化合物が意味される。本発明の文脈において使用される形づけ組成物において、ランチオナイズ化工程において一般的に使用されることのできる全ての水酸化物化合物を使用することが可能である。
【０１３５】
少なくとも１の水酸化物化合物は、アルカリ金属水酸化物、アルカリ土類金属水酸化物、遷移金属水酸化物、ランタニド金属の水酸化物、アクチニド金属の水酸化物、第ＩＩＩ族からの金属の水酸化物、第ＩＶ属からの金属の水酸化物、第Ｖ属からの金属の水酸化物、第ＶＩ属からの金属の水酸化物、有機水酸化物、及び少なくとも部分的に加水分解可能である水酸化物の置換基を有する化合物から好ましくは選択され得る。
【０１３６】
本発明の文脈において使用されることのできる水酸化物化合物は例えば、水酸化ナトリウム、水酸化グアニジニウム、水酸化リチウム、水酸化カルシウム、水酸化バリウム、水酸化マグネシウム、水酸化アルミニウム、水酸化銅、水酸化ストロンチウム、水酸化モリブデン、水酸化マンガン、水酸化亜鉛、及び水酸化コバルトを包含し得る。
【０１３７】
好ましい水酸化物の化合物は水酸化ナトリウム及び水酸化グアニジニウムである。それらの濃度は、組成物のｐＨが好ましくは１２〜１４であるようなものである。
【０１３８】
水酸化物の化合物は、０．２〜１Ｍ、好ましくは０．４〜０．６Ｍの濃度において形づけ組成物中に存在し得る。
【０１３９】
乳化剤
水酸化物化合物を含む形づけ組成物は、少なくとも部分的にエマルジョン、好ましくは水中油型又は油中水型エマルジョンの形であり得る。
【０１４０】
後者の場合、少なくとも１のノニオン性、アニオン性、カチオン性又は両性乳化剤を含み得る。
【０１４１】
乳化剤は、界面活性剤であり、得られるエマルジョン、例えば油中水型（Ｗ／Ｏ）又は水中油型（Ｏ／Ｗ）に従って選択される。
【０１４２】
目的が例えば上記のようにエマルジョンを含む形づけ組成物を得ることであるとき、
−両性乳化剤、例えばＮ−アシルアミノ酸例えばＮ−アルキルアミノアセテート及びココアンホジ酢酸二ナトリウム及びアミンオキサイド例えばステアラミンオキサイド、
−アニオン性乳化剤、例えばアシルグルタメート例えば水添タロウグルタメート２ナトリウム（味の素により販売されているアミソフトＨＳ−２１（商標））、カルボン酸及びそれらの塩例えばステアリン酸ナトリウム、リン酸エステル及びそれらの塩例えばオレス−１０リン酸ＤＥＡ、スルホコハク酸塩例えば、ＰＥＧ−５サイトレートラウリルスルホコハク酸２ナトリウム及びリシノールアミドＭＥＡスルホコハク酸２ナトリウム、
−カチオン性乳化剤、例えばアルキルイミダゾリジニウム例えば、イソステアリルエチルイミドニウムエトサルフェート及びアンモニウム塩例えばＮ，Ｎ，Ｎ−トリメチル−１−ドコサナミニウムクロライド（ベヘントリモニウムクロライド）及び
−ノニオン性乳化剤、例えば、糖類のエステル及びエーテル、例えば、ステアリン酸スクロース、ココ酸スクロース、及びステアリン酸ソルビタンとＩＣＩによりＡｒｌａｔｏｎｅ２１２１（商標）の名前で販売されているココ酸スクロースとの混合物、ポリオールのエステル例えば、グリセロールエステル又はソルビトールエステル、例えばステアリン酸グリセリル、ステアリン酸ポリグリセリル−２、ステアリン酸ソルビタン、グリセロールエーテル、エトキシレート化及び／又はプロポキシレート化されたエーテル、例えば２５のエトキシ基及び２５のプロポキシ基を含むラウリルアルコールのエトキシレート化及びプロポキシレート化されたエーテル（ＣＴＦＡ名前「ＰＰＧ−２５ラウレース−２５」）、及び７のエトキシ基を含むＣ１２〜Ｃ１５脂肪族アルコールの混合物のエトキシレート化エーテル（ＣＴＦＡ名「Ｃ１２〜Ｃ１５パレス−７」）、エチレングリコールのポリマー例えばＰＥＧ−１００及びそれらの混合物
が使用され得る。
【０１４３】
これらの乳化剤のうちの１以上を使用することが可能である。
【０１４４】
油中水型（Ｗ／Ｏ）エマルジョンの場合、乳化剤の例は、ポリオール脂肪族エステル、特にグリセロール又はソルビトールの脂肪族エステル、特にポリオールのイソステアリル、オレイル、及びリノーレイルエステル、例えばゴールドシュミットによりＰｒｅｔｅｇｉｎＷ（商標）の名前で販売されている、ペテロラタム、ポリグリセリル−３オレエート、及びグリセリルイソステアレート、水添ひまし油、及びオゾケライトの混合物、ソルビタンイソステアレート、ポリグリセリルジイソステアレート、ポリグリセリル−２セスキイソステアレート；糖類のエステル及びエーテル例えばメチルグルコースジオレエート；脂肪族エステル例えばラノリン酸マグネシウム；ジメチコーンコポリオール及びアルキルジメチコーンコポリオール、例えばダウコーニングによりダウコーニング５２００フォーミュレーションエイドの名前で販売されているラウリルメチコーンコポリオール、ゴールドシュミットによりアビルＥＭ９０（商標）の名前で販売されているセチルジメチコーンコポリオール、及びジメチコーンコポリオール；及びこれらの混合物を包含する。
【０１４５】
エマルジョンの油は植物油、鉱物油、シリコーン油、液状エステル又は直鎖又は分岐状のＣ７〜Ｃ１６炭化水素であり得る。
【０１４６】
水酸化物化合物を含む組成物の使用の条件
【０１４７】
一つの好ましい例示的な実施態様において、水酸化物化合物を含む組成物が段階ａ）の前及び／又は段階ｂ）の後に使用されるとき、それは放置されて、例えば５〜６０分、好ましくは１０〜２０分の持続期間の間、作用する。
【０１４８】
水酸化物化合物を含む組成物が段階ａ）の前及び／又は段階ｂ）の後に使用されるとき、固定化段階は２０〜４０℃、好ましくは２５〜３５℃の温度において行われ得る。
【０１４９】
水酸化物化合物を含む組成物を施与する段階の後、及び任意の接触時間の後、毛髪は好ましくは水道水及び浸透された水で、又はアルカリ性の残さを除去するために酸性の組成物でさえリンスされ得る。
【０１５０】
酸性組成物
「酸性組成物」により、例えば１以上のカルボン酸、スルホン酸、ホスホン酸又はリン酸官能性を有する酸から選択された１以上の酸を含む組成物が意味される。
【０１５１】
酸は、他の化学官能性、より特にヒドロキシ又はアミノ官能性を有していてもよい。
【０１５２】
酸は飽和又は不飽和であってもよい。
使用されることのできる酸は、例えば酢酸、プロパン酸、酪酸、乳酸、グリコール酸、アスコルビン酸、マレイン酸、フタル酸、コハク酸、タウリン及びクエン酸を包含し得る。
【０１５３】
一つの好ましい酸はクエン酸である。
【０１５４】
該組成物に存在する無機酸はモノ酸又はポリ酸から選択され得る。
【０１５５】
それらは、例えば塩酸、オルトリン酸、硫酸及び硼酸を包含する。
【０１５６】
酸性の組成物は、例えば２〜７、好ましくは３〜４のｐＨを有する。
【０１５７】
酸化組成物
固定化組成物は酸化組成物である。
【０１５８】
「酸化組成物」により、過酸化水素、ウレアパーオキサイド、アルカリ金属ブロメート、ポリチオネート、過酸基塩（ｐｅｒｓａｌｔ）、例えば過ホウ酸塩、過炭酸塩及び過硫酸塩から選択される１以上の酸化剤を含む組成物が意味される。
【０１５９】
酸化剤は好ましくは過酸化水素である。
【０１６０】
酸化剤は、酸化組成物の総重量に対して０．１〜１０重量％、好ましくは０．５〜５重量％の量で存在し得る。
【０１６１】
好ましくは、酸化剤は水性溶液における過酸化水素であるとき、本発明に従う方法において使用される酸化組成物は、少なくとも１の過酸化水素安定化剤を含む。
【０１６２】
そのような安定化剤は例えばアルカリ金属、アルカリ土類金属、ピロホスフェート、例えばピロホスフェート４ナトリウム、スズ酸のアルカリ金属塩又はアルカリ土類金属塩、フェナセチン又は酸のオキシキノリンとの塩、例えばオキシキノリンサルフェートを包含し得る。さらにより有利には、少なくとも１のスズ酸塩が単独で又は少なくとも１のピロホスフェートとの組み合わせにおいて使用される。
【０１６３】
過酸化水素安定化剤は酸化組成物の総重量に対して０．０００１重量％〜５重量％、好ましくは０．０１重量％〜２重量％の量で存在し得る。
【０１６４】
酸化組成物は、酸化剤が過酸化水素であるときは特に例えば１．５〜４．５、好ましくは２〜３．５のｐＨを有し得る。
【０１６５】
一つの好ましい実施態様において、上記の酸化組成物が段階ａ）の前及び／又は段階ｂ）の後に使用されるとき、該酸化組成物は放置されて、約２〜３０分、好ましくは２〜１５分、より好ましくは２〜７分、２０〜４０℃、好ましくは２５〜３５℃の温度において作用し得る。酸化組成物は好ましくは清潔かつ湿った毛髪に施与される。
【０１６６】
還元組成物及び酸化組成物のビヒクルは好ましくは水からなる水性媒体であり、有利には、より特にアルコール例えばエチルアルコール、イソプロピルアルコール、ベンジルアルコール、及びフェニルエチルアルコール又はポリオール又はポリオールエーテル例えばエチレングリコールモノメチル、モノエチル及びモノブチルエーテル、プロピレングリコール又はそのエーテル、例えばプロピレングリコールモノメチルエーテル、ブチレングリコール、ジプロピレングリコール、及びジエチレングリコールアルキルエーテル、例えばジエチレングリコールモノエチルエーテル又はモノブチルエーテルを包含する化粧的に受容可能な有機溶媒を含み得る。この場合、有機溶媒は、組成物の総重量に対して約０．１重量％〜２０重量％、好ましくは約１重量％〜１０重量％の濃度で存在し得る。
【０１６７】
本発明に従う方法における酸化組成物のｐＨは、１以上のアルカリ剤、例えば還元組成物において既に挙げられたもの、の添加又は酸性化剤、例えば塩酸、酢酸、乳酸、ホウ酸、クエン酸、及びリン酸の添加により慣用的に得られ及び／又は調節され得る。
【０１６８】
本発明に従う方法において使用される組成物のすべては、増粘された又は非増粘されたローション、クリーム、ゲル、又はムースの形において互いに独立して存在し得る。
【０１６９】
以下の実施例は説明の目的のために与えられ、本発明に制限的な影響を有しない。
【０１７０】
実施例
実施例１：耐久的に毛髪をカールさせる方法
乾燥したひと房の毛髪は次に湿らされ、シャンプーされ、例えば固定されて保持された２つの末端を有する、３ｃｍ未満の直径を有するローラーの周りに巻かれることにより機械的応力下に置かれる。
【０１７１】
アセンブリーは囲いの中に置かれる。マイクロ波処理の出力及び持続期間は、所望されるカールする強度に依存して可変である。
【０１７２】
最後のシャンプー又はリンスが任意的に行われる。
【０１７３】
もし房が完全に乾燥されると、所望されるカールは観察されない。
【０１７４】
実施例２：毛髪をまっすぐにするための方法
乾燥した一房の毛髪は、湿らされ又はシャンプーされ、２つの末端が固定されて保持された、１〜２０ｃｍの長さを有する支持体に沿って延ばされる。
【０１７５】
次にアセンブリーは囲いの中に置かれる。マイクロ波処理の出力及び持続期間は、所望されるまっすぐにする強度に依存して可変である。
【０１７６】
最後のシャンプー又はリンスが任意的に行われる。
【０１７７】
変形として、乾燥した一房の毛髪が、次に濡らされ又はシャンプーされ、トングスにより形成された囲いの複数の顎の間に直接置かれる。
【０１７８】
次に、該房を挟み、引っ張ることにより機械的緊張が得られる。
【０１７９】
実施例３
マイクロ波の適用の前に毛髪の房は（酸化又は直接による）染色組成物、脱色組成物、例えばチオール還元剤に基づくパーマネントウェーブ、水酸化ナトリウム又はグアニジン毛髪をまっすぐさせる手順、ケアトリートメント、毛髪マスク又はシャンプー、で予備処理され、次に実施例１に記載されたようにカールされるか又は実施例２において記載されたようにまっすぐにされる。
【０１８０】
実施例４：形づけ組成物を使用して毛髪を耐久的にカールする又はまっすぐにする方法
任意的に、シャンプーされかつ湿っている又は乾燥していてもよい毛髪の房が、まず、１０：１の質量浴比で形づけ組成物を用いて含浸される。
【０１８１】
得られる毛髪の房は、次に機械的応力下に置かれる。もし目的がカール方法を実行することであるならば、該房は、例えば２つの末端が固定されて保持されている３ｃｍ未満の直径を有するローラーの周りに巻きつけられる。
【０１８２】
もし目的がまっすぐにする方法を実行することであるならば、該毛髪の房は２つの末端が固定されて保持されている１〜２０ｃｍの長さを有する支持体に沿って延ばされる。
【０１８３】
このようにして得られたアセンブリーは囲いの中に置かれる。マイクロ波処理の出力及び持続期間は所望されるカールする又はまっすぐにする強度に依存して変化されることができる。
【０１８４】
毛髪の房は次に該支持体上でリンスされるか又はシャンプーされるかあるいは該支持体から外され得る。
【０１８５】
形づけ組成物が還元組成物を含むとき及び毛髪の房が支持体から外されないとき、酸化組成物を施与する段階を含む固定化段階が実行されてもよい。
【０１８６】
変形として、形づけ組成物が水酸化物化合物を含む組成物を含むとき及び房が支持体から外されるとき、酸性組成物を施与する段階を含む固定化段階が実行されてもよい。
【０１８７】
最終的なシャンプー又はリンスが任意的に行われてもよい。
【０１８８】
実施例５：酸化組成物を使用して毛髪を耐久的にカールする又はまっすぐにする方法
任意的にシャンプーされており湿っていてもよい毛髪の房が、還元組成物を含む形づけ組成物を用いて、１０：１の質量浴比で処理される。形づけ組成物は放置され、所望される性能に依存して可変の時間の間、作用し得る。
【０１８９】
該房は次にリンスされ、その後１０：１の浴比で酸化組成物により浸漬される。
【０１９０】
毛髪の房は機械的応力下に置かれる。
【０１９１】
もし目的がカールすることであるならば、該房は、例えば２つの末端が固定されて保持されている３ｃｍ未満の直径を有するローラーの周りに巻きつけられる。
【０１９２】
もし目的がまっすぐにすることであるならば、該房は、２つの末端が固定されて保持されている１〜２０ｃｍの長さを有する支持体に沿って延ばされ得る。
【０１９３】
次にアセンブリーは直ちに囲いの中に置かれる。マイクロ波処理の出力及び持続期間は、所望されるカールする又はまっすぐにする強度に依存して可変である。
【０１９４】
このように処理された房は支持体の上でリンス又はシャンプーされるか又は支持体から外されてもよい。
【０１９５】
実施例６：１段階の予備処理により毛髪を耐久的にカールする又はまっすぐにする方法
任意的にシャンプーされかつ湿っていてもよい毛髪の房が、所望される性能に依存して可変である時間の間、還元組成物を含む形づけ組成物を用いて１０：１の浴比で処理される。
【０１９６】
次に該毛髪の房はリンスされ、次に任意的に乾燥され、機械的応力下に置かれる。
【０１９７】
もし目的がカールすることであるならば、該房は、例えば２つの末端が固定されて保持されている３ｃｍ未満の直径を有するローラーの周りに巻きつけられる。
【０１９８】
もし目的がまっすぐにすることを実行することであるならば、該房は、２つの末端が固定されて保持されている１〜２０ｃｍの長さを有する支持体に沿って延ばされる。
【０１９９】
このようにして得られたアセンブリーは囲いの中に置かれる。マイクロ波処理の出力及び持続期間は、所望されるカールする又はまっすぐに伸ばす強度に依存して可変である。
【０２００】
このように処理された房は支持体の上でリンス又はシャンプーされるか又は支持体から外されてもよい。
【０２０１】
形づけ組成物が還元組成物を含むとき及び毛髪の房が支持体から外されないときは、酸化組成物を施与する段階を含む固定化段階が実行され得る。
【０２０２】
変形として、形づけ組成物が水酸化物化合物を含む組成物を含むとき及び房が支持体から外されるときは、酸性組成物を施与する段階を含む固定化段階が実行され得る。
【０２０３】
最終的なシャンプー又はリンスが任意的に行われてもよい。
【０２０４】
実施例７：囲いの中での処理の後に形づけ段階及び固定化段階を含む、毛髪を耐久的にカールする又はまっすぐに伸ばす方法
【０２０５】
任意的にシャンプーされた、湿っている又は乾燥している毛髪の房が機械的応力下に置かれる。
もし目的がカールすることであるならば、該房は、例えば２つの末端が固定されて保持されている３ｃｍ未満の直径を有するローラーの周りに巻きつけられる。
【０２０６】
もし目的がまっすぐにすることを実行することであるならば、該房は、２つの末端が固定されて保持されている１〜２０ｃｍの長さを有する支持体に沿ってまっすぐに延ばされる。
【０２０７】
このようにして得られたアセンブリーは囲いの中に置かれる。マイクロ波処理の出力及び持続期間は、所望されるカールする又はまっすぐに伸ばす強度に依存して可変である。
【０２０８】
最終的なシャンプー又はリンスが任意的に行われてもよい。
【０２０９】
次に、まだ支持体上に置かれた毛髪は、所望される性能に依存して可変である時間の間、１０：１の浴比で、形づけ組成物を用いて処理され、それからリンスされる。
【０２１０】
形づけ組成物が還元組成物を含むとき及び毛髪の房が支持体から外されないときは、酸化組成物を施与する段階を含む固定化段階が実行され得る。
【０２１１】
変形として、形づけ組成物が水酸化物化合物を含む組成物を含むとき及び房が支持体から外されるときは、酸性組成物を施与する段階を含む固定化段階が実行され得る。
【０２１２】
最終的なシャンプー又はリンスが任意的に行われてもよい。
【０２１３】
実施例４〜８の変形において、まっすぐにするために支持体に沿って延ばされる代わりに、毛髪の房がトングスにより確定された囲いの複数の顎の間に置かれる。房を挟みそして房を引っ張ることにより機械的緊張が得られる。
【０２１４】
実施例８
毛髪の房は、本発明の方法及び任意的な予備処理の前に（酸化による又は直接の）染色、脱色、ケア、毛髪マスク又はシャンプー処理で処理され得、次に上記の実施例４〜７に記載された方法に従ってカールされる又はまっすぐに伸ばされる。
【０２１５】
実施例９（比較例）
湿らされた、０．３５ｇ及び１５ｃｍの堅い天然の毛髪の房が２つの異なる方法で処理された。
【０２１６】
−実施例１に従ってマイクロ波による水の加熱を用いる本発明に従う処理
【０２１７】
2013527786.tif 000005
【０２１８】
−チオグリコール酸パーマネントウェーブトリートメントであるデュルシアバイタル２フォース１を用いる１５分間の処理、続いて、固定化するためのデュルシアバイタル２（Ｎｏ．４）を用いる５分の持続時間での固定化段階
【０２１９】
これらの処理の後、房はリンスされた。
【０２２０】
図６はリンス後の房１〜４を示す。
【０２２１】
次に房１〜４は５回シャンプーされた。結果は図７に示される。
【０２２２】
房１，２及び３における形づけ性能はパーマネントウェーブ処理で処理されたもの（房４）におけるより良い。
【０２２３】
実施例１０（比較例）
湿らされた、０．３５ｇ及び１５ｃｍの堅い天然の毛髪の房が２つの異なる方法で処理された。
【０２２４】
実施例１に従うマイクロ波による水の加熱による本発明に従う処理（Ｎｏ．１）
【０２２５】
2013527786.tif 000006
【０２２６】
−チオグリコール酸パーマネントウェーブトリートメントであるデュルシアバイタル２フォース１を用いる１５分間の処理、続いて、固定化するためのデュルシアバイタル２（Ｎｏ．２を用いる５分の持続時間での固定化段階
【０２２７】
これらの処理の後、房はリンスされ、種々の強度試験：１０回の標準的なシャンプーの効果、交互に行われるシャンプー／まっすぐにするサイクル４回の効果、４回のシャンプー／まっすぐにするサイクル、続く１０回のシャンプーの効果、を受けた。結果は図８に示される。
【０２２８】
種々の試験の後に、房１番が房２番よりよい強度を示すことが観察される。
【０２２９】
実施例１１（比較例）
濡らされた、０．３５ｇ及び１５ｃｍのカールのある天然の毛髪の房が２つの異なる方法で処理された。
【０２３０】
−実施例２に従うマイクロ波による水の加熱による本発明に従う処理（１番）：
【０２３１】
2013527786.tif 000007
【０２３２】
−まっすぐに伸ばす製品エクステンソを用いる２０分間のチオグリコール酸での伸ばし、続いて中和するための固定化ミルクエクステンソでの１０分間の固定化（２番）。
これらの処理の後、房はリンスされ、シャンプーされた。結果は表９に示されている。
【０２３３】
本発明で、還元剤及び酸化剤の使用なしに、従来技術と同じである、まっすぐにする性能が得られることが観察される。
【０２３４】
実施例１２
０．３５ｇ及び１５ｃｍの、堅い天然のコーカサス人の毛髪の房が２つの方法で処理された。
【０２３５】
−実施例４に従う本発明に従う処理：
形づけ組成物：チオグリコール酸の０．５Ｍの水性溶液
カールの製造（ロール上での房）
マイクロ波／蒸気処理：Ｐ＝１３５Ｗ；Ｔ＝１４５℃；ｐ＝４バール；暴露の期間：５分
ローラー上での房のリンス
酸化組成物での５分の固定化
最後のシャンプー
−比較
形づけ組成物：チオグリコール酸の１Ｍ水性溶液
カールの製造（ローラー上での房）
２５℃における２０分の待機
ローラー上での房のリンス
酸化組成物での５分の固定化
最後のシャンプー
【０２３６】
マイクロ波／蒸気処理は、チオグリコール酸の減少された濃度で、先行技術と同じである形づけの結果を作り出す。
【０２３７】
減少された濃度及びより短い処理時間のために、房は低位にダメージを受け感触はより化粧的である。
【０２３８】
実施例１３
０．３５ｇかつ１５ｃｍのカールのある天然のアフリカ人の毛髪の房が２つの方法で処理された：
【０２３９】
−実施例４に従う本発明の処理：
形づけ組成物：０．３Ｍの水酸化ナトリウム水性溶液
毛髪をまっすぐさせる（支持体に沿って延ばされる房）
マイクロ波／蒸気処理：Ｐ＝１３５Ｗ；Ｔ＝１４５℃；ｐ＝４バール；暴露の持続期間：５分
酸性組成物でのシャンプー
−比較
形づけ組成物：０．６Ｍの水酸化ナトリウム水性溶液
毛髪をまっすぐさせる（房は手で作業される）；
２５℃において２０分の待機
酸性組成物でのシャンプー
【０２４０】
マイクロ波／蒸気処理は、減少された濃度の水酸化ナトリウムで、先行技術と同じであるまっすぐする結果を生み出す。
【０２４１】
減少された濃度及びより短い処理時間のために、房は低位にダメージを受け感触はより化粧的である。
【０２４２】
表現「〜を含む」は、「少なくとも１の〜を含む」と理解されるべきである。
【０２４３】
表現「〜」は、末端の点が含まれると理解されるべきである。
【図１】
2013527786.tif 000008
【図２】
2013527786.tif 000009
【図３】
2013527786.tif 000010
【図４】
2013527786.tif 000011
【図５】
2013527786.tif 000012
【図６】
2013527786.tif 000013
【図７】
2013527786.tif 000014
【図８】
2013527786.tif 000015
【図９】
2013527786.tif 000016
【図１０】
2013527786.tif 000017
【国際調査報告】
2013527786.tif 000018
2013527786.tif 000019
2013527786.tif 000020